(57)【要約】  本発明は無線通信システムに関するものである。より詳しくは、本発明は搬送波集成システムにおいてＭＡＣ  ＣＥを生成するための方法及び装置に関するもので、前記方法は、セルインデックスにそれぞれ対応する多数のサービングセルを構成する、及び前記多数のサービングセルのセルインデックスのうち最大セルインデックスによってＭＡＣ（Ｍｅｄｉｕｍ  Ａｃｃｅｓｓ  Ｃｏｎｔｒｏｌ）制御要素（ＣＥ）がセルインデックスフィールドのための４個のオクテットを含むかを決定する段階、及び前記決定によって前記ＭＡＣ  ＣＥを生成する段階を含む。【選択図】  図１２
2018519685.tif 000002
【特許請求の範囲】
【請求項１】
セルインデックスにそれぞれ対応する多数のサービングセルを構成する段階；
前記多数のサービングセルのセルインデックスのうち最大セルインデックスによってＭＡＣ（Ｍｅｄｉｕｍ  Ａｃｃｅｓｓ  Ｃｏｎｔｒｏｌ）制御要素（ＣＥ）がセルインデックスフィールドのための４個のオクテットを含むかを決定する段階；及び
前記決定によって前記ＭＡＣ  ＣＥを生成する段階を含む、無線通信システムにおける通信装置の動作方法。
【請求項２】
前記最大セルインデックスが８より小さければ、前記ＭＡＣ  ＣＥがセルインデックスフィールドのための１個のオクテットを含む、請求項１に記載の無線通信システムにおける通信装置の動作方法。
【請求項３】
前記最大セルインデックスが８より小さくなければ、前記ＭＡＣ  ＣＥがセルインデックスフィールドのための４個のオクテットを含む、請求項１に記載の無線通信システムにおける通信装置の動作方法。
【請求項４】
前記セルインデックスはＳＣｅｌｌＩｎｄｅｘ又はＳｅｒｖＣｅｌｌＩｎｄｅｘである、請求項１に記載の無線通信システムにおける通信装置の動作方法。
【請求項５】
前記ＭＡＣ  ＣＥが活性化／非活性化ＭＡＣ制御要素であれば、セルインデックスフィールドｉがＳＣｅｌｌｉｎｄｅｘ＿ｉを有するサービングセルの活性化／非活性化状態を示す、請求項１に記載の無線通信システムにおける通信装置の動作方法。
【請求項６】
セルインデックスフィールドのための４個のオクテットを含む前記活性化／非活性化ＭＡＣ要素は論理チャネルＩＤ（ＬＣＩＤ）を有するＭＡＣプロトコルデータユニット（ＰＤＵ）サブヘッダーによって識別される、請求項５に記載の無線通信システムにおける通信装置の動作方法。
【請求項７】
前記ＭＡＣ  ＣＥが拡張されたＰＨＲ（Ｐｏｗｅｒ  Ｈｅａｄｒｏｏｍ  Ｒｅｐｏｒｔ）ＭＡＣ  ＣＥであれば、セルインデックスフィールドｉがＳｅｒｖＣｅｌｌＩｎｄｅｘ＿ｉを有するサービングセルに対するＰＨフィールドの存在を示す、請求項１に記載の無線通信システムにおける通信装置の動作方法。
【請求項８】
前記多数のサービングセルは上りリンクで構成される、請求項７に記載の無線通信システムにおける通信装置の動作方法。
【請求項９】
セルインデックスにそれぞれ対応する多数のサービングセルを構成する段階；
前記多数のサービングセルのうち最大セルインデックスによってＭＡＣ（Ｍｅｄｉｕｍ  Ａｃｃｅｓｓ  Ｃｏｎｔｒｏｌ）ＣＥ（Ｃｏｎｔｒｏｌ  ｅｌｅｍｅｎｔ）でのセルインデックスフィールドのサイズを決定する段階；及び
前記セルインデックスフィールドのサイズによって前記ＭＡＣ  ＣＥを生成する段階を含む、無線通信システムにおける通信装置の動作方法。
【請求項１０】
０≦最大セルインデックス≦７であれば、ＵＥがセルインデックスフィールドのサイズを１バイトと決定し、８≦最大セルインデックス≦１５であれば、セルインデックスフィールドのサイズを２バイトと決定し、１６≦最大セルインデックス≦２３であれば、セルインデックスフィールドのサイズを３バイトと決定し、２４≦最大セルインデックス≦３１であれば、セルインデックスフィールドのサイズを４バイトと決定する、請求項９に記載の無線通信システムにおける通信装置の動作方法。
【請求項１１】
ＲＦ（Ｒａｄｉｏ  Ｆｒｅｑｕｅｎｃｙ）モジュール；及び
前記ＲＦモジュールを制御し、セルインデックスにそれぞれ対応する多数のサービングセルを構成し、前記多数のサービングセルのうち最大セルインデックスによってＭＡＣ（Ｍｅｄｉｕｍ  Ａｃｃｅｓｓ  Ｃｏｎｔｒｏｌ）制御要素（ＣＥ）がセルインデックスフィールドのための４個のオクテットを含むかを決定し、前記決定によって前記ＭＡＣ  ＣＥを生成するように構成されたプロセッサを含む、無線通信システムで動作する通信装置。
【請求項１２】
前記最大セルインデックスが８より小さければ、前記ＭＡＣ  ＣＥがセルインデックスフィールドのための１個のオクテットを含む、請求項１１に記載の無線通信システムで動作する通信装置。
【請求項１３】
前記最大セルインデックスが８より小さくなければ、前記ＭＡＣ  ＣＥがセルインデックスフィールドのための４個のオクテットを含む、請求項１１に記載の無線通信システムで動作する通信装置。
【請求項１４】
前記セルインデックスはＳＣｅｌｌＩｎｄｅｘ又はＳｅｒｖＣｅｌｌＩｎｄｅｘである、請求項１１に記載の無線通信システムで動作する通信装置。
【請求項１５】
前記ＭＡＣ  ＣＥが活性化／非活性化ＭＡＣ制御要素であれば、セルインデックスフィールドｉがＳＣｅｌｌｉｎｄｅｘ＿ｉを有するサービングセルの活性化／非活性化状態を示す、請求項１１に記載の無線通信システムで動作する通信装置。
【請求項１６】
セルインデックスフィールドのための４個のオクテットを含む前記活性化／非活性化ＭＡＣ要素は論理チャネルＩＤ（ＬＣＩＤ）を有するＭＡＣプロトコルデータユニット（ＰＤＵ）サブヘッダーによって識別される、請求項１５に記載の無線通信システムで動作する通信装置。
【請求項１７】
前記ＭＡＣ  ＣＥが拡張されたＰＨＲ（Ｐｏｗｅｒ  Ｈｅａｄｒｏｏｍ  Ｒｅｐｏｒｔ）ＭＡＣ  ＣＥであれば、セルインデックスフィールドｉがＳｅｒｖＣｅｌｌＩｎｄｅｘ＿ｉを有するサービングセルに対するＰＨフィールドの存在を示す、請求項１１に記載の無線通信システムで動作する通信装置。
【請求項１８】
前記多数のサービングセルは上りリンクで構成される、請求項１７に記載の無線通信システムで動作する通信装置。
【請求項１９】
ＲＦユニット；及び
前記ＲＦユニットを制御するように構成されるプロセッサを含み、
前記プロセッサは、セルインデックスにそれぞれ対応する多数のサービングセルを構成し、前記多数のサービングセルのうち最大セルインデックスによってＭＡＣ  ＣＥでのセルインデックスフィールドのサイズを決定し、前記セルインデックスフィールドのサイズによって前記ＭＡＣ  ＣＥを生成するように構成される、無線通信システムで動作する通信装置。
【請求項２０】
０≦最大セルインデックス≦７であれば、前記プロセッサはセルインデックスフィールドのサイズを１バイトと決定し、８≦最大セルインデックス≦１５であれば、セルインデックスフィールドのサイズを２バイトと決定し、１６≦最大セルインデックス≦２３であれば、セルインデックスフィールドのサイズを３バイトと決定し、２４≦最大セルインデックス≦３１であれば、セルインデックスフィールドのサイズを４バイトと決定する、請求項１９に記載の無線通信システムで動作する通信装置。
【発明の詳細な説明】
【技術分野】
【０００１】
[1]  本発明は、無線通信システムに関し、特にキャリア集成システムでMAC CONTROL ELEMENTを生成する方法及びその装置に関するものである。
【背景技術】
【０００２】
[2]  本発明を適用できる無線通信システムの一例として、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、"ＬＴＥ"という）通信システムについて概略的に説明する。
【０００３】
[3]  図１は、無線通信システムの一例として、Ｅ−ＵＭＴＳ網の構造を概略的に示した図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存のＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進化したシステムであって、現在、３ＧＰＰで基礎的な標準化作業を進めている。一般に、Ｅ−ＵＭＴＳは、ＬＴＥ（Ｌｏｎｇ  Ｔｅｒｍ  Ｅｖｏｌｕｔｉｏｎ）システムと称することもできる。ＵＭＴＳ及びＥ−ＵＭＴＳの技術規格（ｔｅｃｈｎｉｃａｌ  ｓｐｅｃｉｆｉｃａｔｉｏｎ）の詳細な内容は、それぞれ「３ｒｄ  Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ  ７とＲｅｌｅａｓｅ  ８を参照することができる。
【０００４】
[4]  図１を参照すると、Ｅ−ＵＭＴＳは、端末（Ｕｓｅｒ  Ｅｑｕｉｐｍｅｎｔ；ＵＥ）、基地局（ｅＮｏｄｅ  Ｂ；ｅＮＢ）、及びネットワーク（Ｅ−ＵＴＲＡＮ）の終端に位置し、外部ネットワークと接続される接続ゲートウェイ（Ａｃｃｅｓｓ  Ｇａｔｅｗａｙ；ＡＧ）を含む。基地局は、ブロードキャストサービス、マルチキャストサービス及び／またはユニキャストサービスのために多重データストリームを同時に送信することができる。
【０００５】
[5]  一つの基地局には一つ以上のセルが存在する。セルは、１．２５Ｍｈｚ、２．５Ｍｈｚ、５Ｍｈｚ、１０Ｍｈｚ、１５Ｍｈｚ、２０Ｍｈｚなどの帯域幅のうち一つに設定され、多くの端末にダウンリンクまたはアップリンク送信サービスを提供する。互いに異なるセルは、互いに異なる帯域幅を提供するように設定することができる。基地局は、多数の端末に対するデータ送受信を制御する。ダウンリンク（Ｄｏｗｎｌｉｎｋ；ＤＬ）データに対して、基地局は、ダウンリンクスケジューリング情報を送信し、該当の端末にデータが送信される時間／周波数領域、符号化、データサイズ、ＨＡＲＱ（Ｈｙｂｒｉｄ  Ａｕｔｏｍａｔｉｃ  Ｒｅｐｅａｔ  ａｎｄ  ｒｅＱｕｅｓｔ）関連情報などを知らせる。また、アップリンク（Ｕｐｌｉｎｋ；ＵＬ）データに対して、基地局は、アップリンクスケジューリング情報を該当の端末に送信し、該当の端末が使用可能な時間／周波数領域、符号化、データサイズ、ＨＡＲＱ関連情報などを知らせる。各基地局間には、ユーザトラフィックまたは制御トラフィックの送信のためのインターフェースを使用することができる。核心網（Ｃｏｒｅ  Ｎｅｔｗｏｒｋ；ＣＮ）は、ＡＧ及び端末のユーザ登録などのためのネットワークノードなどで構成することができる。ＡＧは、複数のセルで構成されるＴＡ（Ｔｒａｃｋｉｎｇ  Ａｒｅａ）単位で端末の移動性を管理する。
【０００６】
[6]  無線通信技術は、ＷＣＤＭＡに基づいてＬＴＥまで開発されてきたが、ユーザと事業者の要求と期待は持続的に増加している。また、他の無線接続技術が継続して開発されているので、今後、競争力を有するためには新たな技術進化が要求され、ビット当たりの費用減少、サービス可用性増大、融通性のある周波数バンドの使用、単純構造と開放型インターフェース、端末の適切なパワー消耗などが要求される。
【発明の概要】
【発明が解決しようとする課題】
【０００７】
[7]  前記問題を解決するために考案された本発明の目的は、搬送波集成システムにおいてＭＡＣ制御要素を生成するための方法及び装置を提供することである。本発明によって解決される技術的課題は前述した技術的課題に制限されず、当該分野の通常の知識を有する者は以下で説明する他の技術的課題を理解することができる。
【課題を解決するための手段】
【０００８】
[8]  本発明の前記目的は請求範囲に記載したような無線通信システムにおけるユーザ端末（ＵＥ）の動作方法を提供することによって達成できる。
【０００９】
[9]  本発明の他の態様において、請求範囲に記載したような通信装置が提供される。
【００１０】
[10]  前記一般的な説明と以下の本発明の詳細な説明はいずれも例示的なもので、特許請求範囲に記載したような本発明をより詳細に説明するためのものである。
【発明の効果】
【００１１】
[11]  本発明によると、セルのセルインデックスのうち最大セルインデックス（すなわち、ＳＣｅｌｌＩｎｄｅｘ又はＳｅｒｖＣｅｌｌＩｎｄｅｘ）に基づいてＭＡＣ  ＣＥフォーマットを決定する。
【００１２】
[12]  本発明の効果が前述した効果に制限されなく、本発明の他の利点が添付図面と一緒に以下の詳細な説明からより明らかに理解可能であることが通常の知識を有する者であれば分かるであろう。
【００１３】
[13]  本発明の追加説明を提供するために本明細書の一部として含まれる添付図面は本発明の多様な実施形態を示し、本発明の説明とともに本発明の原理を説明するためのものである。
【図面の簡単な説明】
【００１４】
【図１】[14]  無線通信システムの例としてＥ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）のネットワーク構造を示す図である。
【図２Ａ】[15]  図２ＡはＥ−ＵＭＴＳのネットワーク構造を示すブロック図である。
【図２Ｂ】図２Ｂは典型的なＥ−ＵＴＲＡＮ及び典型的なＥＰＣのアーキテクチャーを示すブロック図である。
【図３】[16]  ３ＧＰＰ（３ｒｄ  ｇｅｎｅｒａｔｉｏｎ  ｐａｒｔｎｅｒｓｈｉｐ  ｐｒｏｊｅｃｔ）無線アクセスネットワーク標準に基づいて端末及びＥ−ＵＴＲＡＮの間の無線インターフェースプロトコルの制御平面及び使用者平面を示す図である。
【図４】[17]  Ｅ−ＵＭＴＳシステムで使われる例示的な物理チャネル構造を示す図である。
【図５】[18]  本発明の実施例による通信装置のブロック図である。
【図６】[19]  搬送波集成に対する図である。
【図７】[20]  ＵＥ側でのＭＡＣ構造の概要に対する図である。
【図８Ａ】[21]  ＭＡＣ  ＰＤＵ構造を示した概念図である。
【図８Ｂ】ＭＡＣ  ＰＤＵ構造を示した概念図である。
【図８Ｃ】ＭＡＣ  ＰＤＵ構造を示した概念図である。
【図９Ａ】[22]  図９Ａは従来の搬送波集成システムにおける拡張されたＰＨＲ  ＭＡＣ制御要素の一例である。
【図９Ｂ】図９Ｂは従来の搬送波集成システムにおける活性化／非活性化ＭＡＣ制御要素の一例である。
【図１０】[23]  本発明の実施例による搬送波集成システムにおけるＭＡＣ制御要素の生成に対する概念図である。
【図１１Ａ】[24]  図１１Ａは本発明の実施例による搬送波集成システムにおいて四つのオクテット（ｏｃｔｅｔ）を有するＰＨＲ  ＭＡＣ  ＣＥの一例である。
【図１１Ｂ】図１１Ｂは本発明の実施例による搬送波集成システムにおいて四つのオクテット（ｏｃｔｅｔ）を有する活性化／非活性化ＭＡＣ  ＣＥの一例である。
【図１２】[25]  本発明の実施例による搬送波集成システムにおいてＭＡＣ制御要素の生成に対する概念図である。
【発明を実施するための形態】
【００１５】
[26]  ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）は、ヨーロッパシステム、ＧＳＭ（Ｇｌｏｂａｌ  ｓｙｓｔｅｍ  ｆｏｒ  ｍｏｂｉｌｅ  ｃｏｍｍｕｎｉｃａｔｉｏｎ）、及びＧＰＲＳ（Ｇｅｎｅｒａｌ  Ｐａｃｋｅｔ  Ｒａｄｉｏ  Ｓｅｒｖｉｃｅ）に基盤したＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）で動作する３世代（３ｒｄ  Ｇｅｎｅｒａｔｉｏｎ、３Ｇ）非対称移動通信システムである。ＵＭＴＳのＬＴＥ（Ｌｏｎｇ―Ｔｅｒｍ  Ｅｖｏｌｕｔｉｏｎ）は、ＵＭＴＳを規格化する３ＧＰＰによって議論中にある。
【００１６】
[27]  ３ＧＰＰ  ＬＴＥは、高速パケット通信を可能にする技術である。ユーザ及び提供者の費用を減少させ、サービス品質を改善し、カバレッジ（ｃｏｖｅｒａｇｅ）及びシステム容量を拡張及び改善することを目的とするＬＴＥ課題のための多くの方法が提案された。３Ｇ  ＬＴＥは、上位―レベル要求であって、ビット（ｂｉｔ）当たりの費用減少、増加したサービス可用性、周波数帯域の柔軟性、単純な構造、開放型インターフェース、及び端末の適切な電力消耗を要求する。
【００１７】
[28]  以下で、添付の図面を参照して説明した本発明の各実施例により、本発明の構成、作用及び他の特徴が容易に理解され得るだろう。以下で説明する各実施例は、本発明の技術的特徴が３ＧＰＰシステムに適用された各例である。
【００１８】
[29]  本明細書は、ＬＴＥシステム及びＬＴＥ―Ａシステムを用いて本発明の各実施例を説明するが、これは例示に過ぎない。したがって、本発明の各実施例は、前記定義に該当するいずれの通信システムにも適用することができる。また、本明細書は、ＦＤＤ方式を基準にして本発明の実施例に対して説明するが、これは例示であって、本発明の実施例は、Ｈ―ＦＤＤ方式又はＴＤＤ方式にも容易に変形して適用することができる。
【００１９】
[30]  図２Ａは、Ｅ―ＵＴＲＡＮ（Ｅｖｏｌｖｅｄ―Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）網構造を示すブロック図である。Ｅ―ＵＭＴＳは、ＬＴＥシステムと称することもできる。通信網は、ＩＭＳ及びパケットデータを通じたＶｏＩＰ（Ｖｏｉｃｅ  ｏｖｅｒ  ＩＰ）などの多様なサービスを提供するために広く配置される。
【００２０】
[31]  図２Ａに示したように、Ｅ―ＵＭＴＳ網は、Ｅ―ＵＴＲＡＮ（ｅｖｏｌｖｅｄ  ＵＭＴＳ  ｔｅｒｒｅｓｔｒｉａｌ  ｒａｄｉｏ  ａｃｃｅｓｓ  ｎｅｔｗｏｒｋ）、ＥＰＣ（Ｅｖｏｌｖｅｄ  Ｐａｃｋｅｔ  Ｃｏｒｅ）、及び一つ以上の端末を含む。Ｅ―ＵＴＲＡＮは、一つ以上のｅＮＢ（ｅｖｏｌｖｅｄ  ＮｏｄｅＢ）２０を含むことができ、複数の端末１０が一つのセルに位置することができる。一つ以上のＥ―ＵＴＲＡＮ  ＭＭＥ（Ｍｏｂｉｌｉｔｙ  Ｍａｎａｇｅｍｅｎｔ  Ｅｎｔｉｔｙ）／ＳＡＥ（Ｓｙｓｔｅｍ  Ａｒｃｈｉｔｅｃｔｕｒｅ  Ｅｖｏｌｕｔｉｏｎ）ゲートウェイ３０は、ネットワークの終端に位置し、外部ネットワークに接続することもできる。
【００２１】
[32]  本明細書において、「ダウンリンク（ｄｏｗｎｌｉｎｋ）」は、ｅＮＢ２０から端末１０への通信を称し、「アップリンク（ｕｐｌｉｎｋ）」は、端末１０からｅＮＢ２０への通信を称する。端末１０は、ユーザによって運搬される通信装備を称し、また、移動局（Ｍｏｂｉｌｅ  Ｓｔａｔｉｏｎ、ＭＳ）、ユーザ端末（Ｕｓｅｒ  Ｔｅｒｍｉｎａｌ、ＵＴ）、加入者ステーション（Ｓｕｂｓｃｒｉｂｅｒ  Ｓｔａｔｉｏｎ、ＳＳ）又は無線デバイスと称することもできる。
【００２２】
[33]  図２Ｂは、一般的なＥ―ＵＴＲＡＮと一般的なＥＰＣの構造を示すブロック図である。
【００２３】
[34]  図２Ｂに示したように、ｅＮＢ２０は、ユーザ平面及び制御平面のエンドポイント（ｅｎｄ  ｐｏｉｎｔ）をＵＥ１０に提供する。ＭＭＥ／ＳＡＥゲートウェイ３０は、セッション及び移動性管理機能のエンドポイントをＵＥ１０に提供する。ｅＮＢ２０及びＭＭＥ／ＳＡＥゲートウェイ３０は、Ｓ１インターフェースを介して接続することができる。
【００２４】
[35]  ｅＮＢ２０は、一般にＵＥ１０と通信する固定局であって、基地局（ＢＳ）又はアクセスポイント（ａｃｃｅｓｓ  ｐｏｉｎｔ）と称することもある。一つのｅＮＢ２０はセルごとに配置することができる。ユーザトラフィック又は制御トラフィックを送信するためのインターフェースをｅＮＢ２０間で使用することができる。
【００２５】
[36]  ＭＭＥは、ｅＮＢ２０に対するＮＡＳシグナリング、ＮＡＳシグナリング保安、ＡＳ保安制御、３ＧＰＰ接続ネットワーク間の移動性のためのインター（ｉｎｔｅｒ）ＣＮノードシグナリング、（ページング再送信の制御及び実行を含む）遊休モード（ｉｄｌｅ  ｍｏｄｅ）ＵＥ接近性（Ｒｅａｃｈａｂｉｌｉｔｙ）、（遊休モード及び活性モード（ａｃｔｉｖｅ  ｍｏｄｅ）のＵＥのための）トラッキング領域リスト管理、ＰＤＮ  ＧＷ及びサービングＧＷ選択、ＭＭＥ変化が伴うハンドオーバーのためのＭＭＥ選択、２Ｇ又は３Ｇ  ３ＧＰＰ接続ネットワークへのハンドオーバーのためのＳＧＳＮ選択、ローミング、認証、専用ベアラ設定を含むベアラ管理、（ＥＴＷＳ及びＣＭＡＳを含む）ＰＷＳメッセージ送信のためのサポートを含む多様な機能を行う。ＳＡＥゲートウェイホストは、パー―ユーザ（Ｐｅｒ―ｕｓｅｒ）ベースのパケットフィルタリング（例えば、深層パケット検査を使用）、適法なインターセプション（Ｌａｗｆｕｌ  Ｉｎｔｅｒｃｅｐｔｉｏｎ）、ＵＥ  ＩＰアドレス割り当て、ダウンリンクでの送信（Ｔｒａｎｓｐｏｒｔ）レベルパケットマーキング、ＵＬ及びＤＬサービスレベル課金、ゲーティング及びレート強化、ＡＰＮ―ＡＭＢＲに基づいたＤＬレート強化を含む多様な機能を提供する。ＭＭＥ／ＳＡＥゲートウェイ３０は、明確性のために、本明細書で単純に「ゲートウェイ」と称する。しかし、ＭＭＥ／ＳＡＥゲートウェイ３０は、ＭＭＥ及びＳＡＥゲートウェイの両者を全て含む。
【００２６】
[37]  複数のノードは、ｅＮＢ２０とゲートウェイ３０との間でＳ１インターフェースを介して接続することができる。各ｅＮＢ２０は、Ｘ２インターフェースを介して相互接続することができ、各隣接ｅＮＢは、Ｘ２インターフェースを有するメッシュネットワーク構造（ｍｅｓｈｅｄ  ｎｅｔｗｏｒｋ  ｓｔｒｕｃｔｕｒｅ）を有することができる。
【００２７】
[38]  図２Ｂに示したように、ｅＮＢ２０は、ゲートウェイ３０に対する選択、無線リソース制御（Ｒａｄｉｏ  Ｒｅｓｏｕｒｃｅ  Ｃｏｎｔｒｏｌ、ＲＲＣ）活性化の間、ゲートウェイに向かうルーティング、ページングメッセージのスケジューリング及び送信、ブロードキャストチャネル（ＢＣＣＨ）情報のスケジューリング及び送信、アップリンク及びダウンリンクの全てにおける各ＵＥ１０のための動的リソース割り当て、ｅＮＢ測定の構成及び準備、無線ベアラ制御、無線承認制御（Ｒａｄｉｏ  Ａｄｍｉｓｓｉｏｎ  Ｃｏｎｔｒｏｌ、ＲＡＣ）、及びＬＴＥ＿ＡＣＴＩＶＥ状態での接続移動性制御などの各機能を行うことができる。ＥＰＣにおいて、ゲートウェイ３０は、ページング発信、ＬＴＥ＿ＩＤＬＥ状態管理、ユーザ平面暗号化、システム構造エボリューション（Ｓｙｓｔｅｍ  Ａｒｃｈｉｔｅｃｔｕｒｅ  Ｅｖｏｌｕｔｉｏｎ、ＳＡＥ）ベアラ制御、及び非―接続層（Ｎｏｎ―Ａｃｃｅｓｓ  Ｓｔｒａｔｕｍ、ＮＡＳ）シグナリングの暗号化及び無欠性保護などの各機能を行うことができる。
【００２８】
[39]  ＥＰＣは、移動性管理エンティティ（Ｍｏｂｉｌｉｔｙ  Ｍａｎａｇｅｍｅｎｔ  Ｅｎｔｉｔｙ、ＭＭＥ）、サービング―ゲートウェイ（ｓｅｒｖｉｎｇ―ｇａｔｅｗａｙ、Ｓ―ＧＷ）、及びパケットデータネットワーク―ゲートウェイ（Ｐａｃｋｅｔ  Ｄａｔａ  Ｎｅｔｗｏｒｋ―Ｇａｔｅｗａｙ、ＰＤＮ―ＧＷ）を含む。ＭＭＥは、主に各端末の移動性を管理する目的で用いられる接続及び可用性に対する情報を有する。Ｓ―ＧＷは、Ｅ―ＵＴＲＡＮを終端点として有するゲートウェイで、ＰＤＮ―ＧＷは、パケットデータネットワーク（ＰＤＮ）を終端点として有するゲートウェイである。
【００２９】
[40]  図３は、３ＧＰＰ無線接続網規格を基盤にした端末とＥ―ＵＴＲＡＮとの間の無線インターフェースプロトコルの制御平面及びユーザ平面の構造を示す図である。制御平面は、端末（Ｕｓｅｒ  Ｅｑｕｉｐｍｅｎｔ；ＵＥ）とネットワークがコールを管理するために用いる各制御メッセージが送信される通路を意味する。ユーザ平面は、アプリケーション層で生成されたデータ、例えば、音声データ又はインターネットパケットデータなどが送信される通路を意味する。
【００３０】
[41]  第１層である物理層は、物理チャネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は、上位にある媒体接続制御（Ｍｅｄｉｕｍ  Ａｃｃｅｓｓ  Ｃｏｎｔｒｏｌ）層とは送信チャネル（Ｔｒａｎｓｐｏｒｔ  Ｃｈａｎｎｅｌ）を介して接続されている。前記送信チャネルを介して媒体接続制御層と物理層との間にデータが移動する。送信側と受信側の物理層間には、物理チャネルを介してデータが移動する。前記物理チャネルは、時間と周波数を無線リソースとして活用する。具体的に、物理チャネルは、ダウンリンクでＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、アップリンクでＳＣ―ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【００３１】
[42]  第２層の媒体接続制御（Ｍｅｄｉｕｍ  Ａｃｃｅｓｓ  Ｃｏｎｔｒｏｌ；ＭＡＣ）層は、論理チャネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２層のＲＬＣ層は、信頼性のあるデータ送信をサポートする。ＲＬＣ層の機能は、ＭＡＣ内部の機能ブロックで具現することもできる。第２層のＰＤＣＰ（Ｐａｃｋｅｔ  Ｄａｔａ  Ｃｏｎｖｅｒｇｅｎｃｅ  Ｐｒｏｔｏｃｏｌ）層は、帯域幅の狭い無線インターフェースでＩＰバージョン４（ＩＰ  ｖｅｒｓｉｏｎ  ４、ＩＰｖ４）パケットやＩＰバージョン６（ＩＰｖ６）パケットのようなＩＰ（ｉｎｔｅｒｎｅｔ  ｐｒｏｔｏｃｏｌ）パケットを効率的に送信するために不必要な制御情報を減少させるヘッダー圧縮（Ｈｅａｄｅｒ  Ｃｏｍｐｒｅｓｓｉｏｎ）機能を行う。
【００３２】
[43]  第３層の最下部に位置した無線リソース制御（Ｒａｄｉｏ  Ｒｅｓｏｕｒｃｅ  Ｃｏｎｔｒｏｌ；ＲＲＣ）層は、制御平面のみで定義される。ＲＲＣ層は、各無線ベアラ（Ｒａｄｉｏ  Ｂｅａｒｅｒ；ＲＢ）の設定（Ｃｏｎｆｉｇｕｒａｔｉｏｎ）、再設定（Ｒｅ―ｃｏｎｆｉｇｕｒａｔｉｏｎ）及び解除（Ｒｅｌｅａｓｅ）と関連して論理チャネル、送信チャネル及び物理チャネルの制御を担当する。ＲＢは、端末とネットワークとの間のデータ伝達のために第２層によって提供されるサービスを意味する。このために、端末とネットワークのＲＲＣ層は、互いにＲＲＣメッセージを交換する。
【００３３】
[44]  ｅＮＢの一つのセルは、１．２５ＭＨｚ、２．５ＭＨｚ、５ＭＨｚ、１０ＭＨｚ、１５ＭＨｚ及び２０ＭＨｚなどの各帯域のうち一つで動作するように設定することができ、帯域でダウンリンク又はアップリンク送信サービスを提供するように設定することができる。異なる各セルは、異なる各帯域を提供するように設定することもできる。
【００３４】
[45]  Ｅ―ＵＴＲＡＮから端末への送信のためのダウンリンク送信チャネル（Ｄｏｗｎｌｉｎｋ  ｔｒａｎｓｐｏｒｔ  Ｃｈａｎｎｅｌ）は、システム情報を送信するＢＣＨ（Ｂｒｏａｄｃａｓｔ  Ｃｈａｎｎｅｌ）、各ページングメッセージを送信するＰＣＨ（Ｐａｇｉｎｇ  Ｃｈａｎｎｅｌ）、及びユーザトラフィック又は各制御メッセージを送信するためのダウンリンク共有チャネル（Ｓｈａｒｅｄ  Ｃｈａｎｎｅｌ、ＳＣＨ）を含む。ダウンリンクマルチキャスト又はブロードキャストサービスのトラフィック又は制御メッセージの場合、ダウンリンクＳＣＨを介して送信することもでき、又は別途のダウンリンクＭＣＨ（Ｍｕｌｔｉｃａｓｔ  Ｃｈａｎｎｅｌ）を介して送信することもできる。
【００３５】
[46]  端末からネットワークにデータを送信するアップリンク送信チャネルとしては、初期制御メッセージを送信するＲＡＣＨ（Ｒａｎｄｏｍ  Ａｃｃｅｓｓ  Ｃｈａｎｎｅｌ）と、その他にユーザトラフィックや制御メッセージを送信するアップリンクＳＣＨ（Ｓｈａｒｅｄ  Ｃｈａｎｎｅｌ）とがある。送信チャネルの上位にあり、送信チャネルにマップされる論理チャネルとしては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、及びＭＴＣＨ（Ｍｕｌｔｉｃａｓｔ  Ｔｒａｆｆｉｃ  Ｃｈａｎｎｅｌ）などがある。
【００３６】
[47]  図４は、Ｅ―ＵＭＴＳシステムで使用する物理チャネル構造の一例を示した図である。物理チャネルは、時間軸上にある多数のサブフレームと、周波数軸上にある多数のサブキャリア（Ｓｕｂ―ｃａｒｒｉｅｒ）とで構成される。ここで、一つのサブフレーム（Ｓｕｂ―ｆｒａｍｅ）は、時間軸上に複数のシンボル（Ｓｙｍｂｏｌ）で構成される。一つのサブフレームは、複数のリソースブロック（Ｒｅｓｏｕｒｃｅ  Ｂｌｏｃｋ）で構成され、一つのリソースブロックは、複数のシンボル及び複数のサブキャリアで構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）、すなわち、Ｌ１／Ｌ２制御チャネルのために該当サブフレームの特定シンボル（例えば、１番目のシンボル）の特定サブキャリアを用いることができる。図４には、Ｌ１／Ｌ２制御情報送信領域（ＰＤＣＣＨ）とデータ領域（ＰＤＳＣＨ）を示した。一実施例において、１０ｍｓの無線フレーム（ｒａｄｉｏ  ｆｒａｍｅ）が使用され、一つの無線フレームは１０個のサブフレーム（ｓｕｂｆｒａｍｅ）で構成される。また、一つのサブフレームは二つの連続するスロットで構成される。一つのスロットの長さは０．５ｍｓである。また、一つのサブフレームは多数のＯＦＤＭシンボルで構成され、多数のＯＦＤＭシンボルのうち一部のシンボル（例えば、１番目のシンボル）は、Ｌ１／Ｌ２制御情報を送信するために使用することができる。データ送信のための時間単位である送信時間間隔（Ｔｒａｎｓｍｉｓｓｉｏｎ  Ｔｉｍｅ  Ｉｎｔｅｒｖａｌ、ＴＴＩ）は１ｍｓである。
【００３７】
[48]  基地局と端末は、一般に特定制御信号又は特定サービスデータを除いては、送信チャネルであるＤＬ―ＳＣＨを用いる物理チャネルであるＰＤＳＣＨを介してデータを送信／受信する。ＰＤＳＣＨのデータがいずれの端末（一つ又は複数の端末）に送信されるもので、前記各端末がどのようにＰＤＳＣＨデータを受信してデコード（ｄｅｃｏｄｉｎｇ）しなければならないのかに対する情報などは、ＰＤＣＣＨに含まれて送信される。
【００３８】
[49]  例えば、特定ＰＤＣＣＨが「Ａ」というＲＮＴＩ（Ｒａｄｉｏ  Ｎｅｔｗｏｒｋ  Ｔｅｍｐｏｒａｒｙ  Ｉｄｅｎｔｉｔｙ）でＣＲＣマスク（ｍａｓｋｉｎｇ）されており、「Ｂ」という無線リソース（例えば、周波数位置）及び「Ｃ」という送信形式情報（例えば、送信ブロックサイズ、変調方式、コーディング情報など）を用いて送信されるデータに関する情報が特定サブフレームを通じて送信されると仮定する。この場合、セル内の端末は、自身が有しているＲＮＴＩ情報を用いてＰＤＣＣＨをモニタし、「Ａ」ＲＮＴＩを有している一つ以上の端末があると、前記各端末はＰＤＣＣＨを受信し、受信したＰＤＣＣＨの情報を通じて「Ｂ」と「Ｃ」によって指示されるＰＤＳＣＨを受信する。
【００３９】
[50]  図５は、本発明の実施例に係る通信装置のブロック図である。
【００４０】
[51]  図５に示された装置は、上述したメカニズムを行うように適応されたユーザ装置（Ｕｓｅｒ  Ｅｑｕｉｐｍｅｎｔ、ＵＥ）及び／又はｅＮＢであってもよいが、同じ作業を行う任意の装置であってもよい。
【００４１】
[52]  図５に示したように、装置は、ＤＳＰ（Ｄｉｇｉｔａｌ  Ｓｉｇｎａｌ  Ｐｒｏｃｅｓｓｏｒ）／マイクロプロセッサ１１０及びＲＦ（Ｒａｄｉｏ  Ｆｒｅｑｕｅｎｃｙ）モジュール（送受信機；１３５）を含むこともできる。ＤＳＰ／マイクロプロセッサ１１０は、送受信機１３５に電気的に接続されて送受信機１３５を制御する。装置は、設計者の選択によって、電力管理モジュール１０５、バッテリ１５５、ディスプレイ１１５、キーパッド１２０、ＳＩＭカード１２５、メモリデバイス１３０、スピーカー１４５及び入力デバイス１５０をさらに含むこともできる。
【００４２】
[53]  特に、図５は、ネットワークから要求メッセージを受信するように構成された受信機１３５及びネットワークに送／受信タイミング情報を送信するように構成された送信機１３５を含む端末を示してもよい。このような受信機と送信機は送受信機１３５を構成できる。端末は、送受信機（受信機及び送信機、１３５）に接続されたプロセッサ１１０をさらに含むこともできる。
【００４３】
[54]  また、図５は、端末に要求メッセージを送信するように構成された送信機１３５及び端末から送受信タイミング情報を受信するように構成された受信機１３５を含むネットワーク装置を示してもよい。送信機及び受信機は送受信機１３５を構成することもできる。ネットワークは、送信機及び受信機に接続されたプロセッサ１１０をさらに含む。このプロセッサ１１０は、送受信タイミング情報に基づいて遅延（ｌａｔｅｎｃｙ）を計算することもできる。
【００４４】
[55]  図６は搬送波集成に対する図である。
【００４５】
[56]  多数の搬送波を支援するための搬送波集成（ｃａｒｒｉｅｒ  ａｇｇｒｅｇａｔｉｏｎ（ＣＡ））技術を図６に基づいて以下に記述する。上述したように、搬送波集成によってレガシー無線通信システム（例えば、ＬＴＥシステム）で定義される帯域幅単位（例えば、２０ＭＨｚ）の最大で５個の搬送波（コンポーネント搬送波（ＣＣ））を束ねて最大で１００ＭＨｚのシステム帯域幅を支援することができる。搬送波集成に使われるコンポーネント搬送波の帯域幅のサイズは同一であるか違うことができる。また、それぞれのコンポーネント搬送波は互いに異なる周波数帯域（又は中心周波数）を有し得る。コンポーネント搬送波は隣接した周波数帯域上に存在することができる。しかし、隣接しない周波数帯域上に存在するコンポーネント搬送波も搬送波集成に用いることができる。搬送波集成技術において、上りリンク及び下りリンクの帯域幅のサイズは対称的に又は非対称的に割り当てられることができる。
【００４６】
[57]  ＣＡが構成されれば、ＵＥはネットワークと一つのＲＲＣ連結のみを有する。ＲＲＣ連結設定／再設定／ハンドオーバーの際、一つのサービングセルがＮＡＳ移動性情報（例えば、ＴＡＩ）を提供し、ＲＲＣ連結再設定／ハンドオーバーの際、一つのサービングセルが保安入力を提供する。このようなセルをプライマリーセル（ＰＣｅｌｌ）と言う。ＰＣｅｌｌに対応する搬送波は下りリンクで下りリンクプライマリーコンポーネント搬送波（Ｄｏｗｎｌｉｎｋ  Ｐｒｉｍａｒｙ  Ｃｏｍｐｏｎｅｎｔ  ｃａｒｒｉｅｒ（ＤＬ  ＰＣＣ））であり、上りリンクで上りリンクプライマリーコンポーネント搬送波（Ｕｐｌｉｎｋ  Ｐｒｉｍａｒｙ  Ｃｏｍｐｏｎｅｎｔ  ｃａｒｒｉｅｒ（ＵＬ  ＰＣＣ））である。
【００４７】
[58]  ＵＥの能力によって、セカンダリーセル（ｓｅｃｏｎｄａｒｙ  ｃｅｌｌ（ＳＣｅｌｌ））が構成されてＰＣｅｌｌと一緒にサービングセルセットをなすことができる。ＳＣｅｌｌに対応する搬送波は下りリンクで下りリンクセカンダリーコンポーネント搬送波（Ｄｏｗｎｌｉｎｋ  Ｓｅｃｏｎｄａｒｙ  Ｃｏｍｐｏｎｅｎｔ  ｃａｒｒｉｅｒ（ＤＬ  ＳＣＣ））であり、上りリンクで上りリンクセカンダリーコンポーネント搬送波（Ｕｐｌｉｎｋ  Ｓｅｃｏｎｄａｒｙ  Ｃｏｍｐｏｎｅｎｔ  ｃａｒｒｉｅｒ（ＵＬＳＣＣ））である。
【００４８】
[59]  プライマリーコンポーネント搬送波は基地局がＵＥとトラフィック及び制御シグナリングを交換するのに使用する搬送波である。この場合、制御シグナリングは、コンポーネント搬送波の追加、プライマリーコンポーネント搬送波のためのセッティング、上りリンクグラント（ＵＬ  ｇｒａｎｔ）、下りリンク（ＤＬ）割当てなどを含むことができる。基地局は多数のコンポーネント搬送波を使うことができるが、該当基地局に属するＵＥは一つのプライマリーコンポーネント搬送波のみを有するように設定できる。ＵＥが単一搬送波モードで動作すれば、プライマリーコンポーネント搬送波が使われる。よって、独立的に使われるために、プライマリーコンポーネント搬送波は基地局とＵＥ間のデータ及び制御シグナリングに対する全ての要件を満たすように設定されなければならない。
【００４９】
[60]  一方、セカンダリーコンポーネント搬送波は送受信されるデータの要求サイズによって活性化すると非活性化することができる追加的なコンポーネント搬送波を含むことができる。セカンダリーコンポーネント搬送波は基地局から受信される特定の命令及び規則によってのみ使われるように設定できる。追加的な帯域幅を支援するため、セカンダリーコンポーネント搬送波はプライマリーコンポーネント搬送波と一緒に使われるように設定できる。活性化したコンポーネント搬送波を介してＵＥがＵＬグラント、ＤＬ割当てなどの制御信号を基地局から受信することができる。活性化したコンポーネント搬送波を介してＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）、ＳＲＳ（Ｓｏｕｎｄｉｎｇ  Ｒｅｆｅｒｅｎｃｅ  Ｓｉｇｎａｌ）などの上りリンクでの制御信号がＵＥから基地局に送信できる。
【００５０】
[61]  図７はＵＥ側でのＭＡＣ構造の概要に対する図である。
【００５１】
[62]  ＭＡＣ階層は論理チャネルマルチプレックシング、ハイブリッドＡＲＱ再伝送、上りリンク及び下りリンクスケジューリングを処理する。また、ＭＡＣ階層は、搬送波集成が用いられるとき、多数のコンポーネント搬送波を介してのデータのマルチプレックシング／デマルチプレックシングを担当する。
【００５２】
[63]  ＭＡＣはＲＬＣに論理チャネル形態のサービスを提供する。論理チャネルは自分が送信する情報のタイプによって定義され、一般的にＬＴＥシステムを動作させるのに必要な制御及び構成情報の伝送に使われる制御チャネル又はユーザデータのために使われるトラフィックチャネルに分類される。ＬＴＥのために明示された論理チャネルのタイプには、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＤＣＣＨ（Ｄｅｄｉｃａｔｅｄ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＤＴＣＨ（Ｄｅｄｉｃａｔｅｄ  Ｔｒａｆｆｉｃ  Ｃｈａｎｎｅｌ）及びＭＴＣＨ（Ｍｕｌｔｉｃａｓｔ  Ｔｒａｆｆｉｃ  Ｃｈａｎｎｅｌ）が含まれる。
【００５３】
[64]  物理的階層から、ＭＡＣ階層は伝送チャネル形態のサービスを用いる。伝送チャネルは無線インターフェースを介してどのようにかつ何によって情報の特性が送信されるかによって定義される。伝送データは伝送ブロックで構成される。それぞれのＴＴＩ（Ｔｒａｎｓｍｉｓｓｉｏｎ  Ｔｉｍｅ  Ｉｎｔｅｒｖａｌ）において、空間マルチプレックシングが行われないとき、多くても一つの動的サイズを有する伝送ブロックが無線インターフェースを介して端末に／から送信される。空間マルチプレックシング（ＭＩＭＯ）の場合、ＴＴＩだ２個以下の伝送ブロックが存在することができる。
【００５４】
[65]  伝送ブロックがどのように無線インターフェースを介して送信されるかを明示する伝送フォーマット（Ｔｒａｎｓｐｏｒｔ  Ｆｏｒｍａｔ（ＴＦ））がそれぞれの伝送ブロックに関連する。伝送フォーマットは伝送ブロックのサイズ、変調及びコーディング方式及びアンテナマッピングについての情報を含む。伝送フォーマットを変更することによってＭＡＣ階層は互いに異なるデータレートを実現することができる。したがって、レート制御は伝送フォーマット選択としても知られている。
【００５５】
[66]  優先順位ハンドリングを支援するため、それぞれの固有のＲＬＣ個体を有する多数の論理チャネルがＭＡＣ階層によって一つの伝送チャネルにマルチプレックスできる。受信機において、ＭＡＣ階層は該当デマルチプレックシングを処理し、順次伝達及びＲＬＣによって処理される他の機能のためにＲＬＣ  ＰＤＵをそれぞれのＲＬＣ個体に送信する。受信機でのデマルチプレックシングを支援するためにＭＡＣが使われる。それぞれのＲＬＣ  ＰＤＵに対してＭＡＣヘッダー内の関連したサブヘッダーが存在する。前記サブヘッダーはＲＬＣ  ＰＤＵが来由する論理チャネルのＩＤ（ＬＣＩＤ）とバイト単位のＰＤＵ長さを含む。また、前記サブヘッダーが最後のサブヘッダーであるかを示すフラグを含む。１個以上のＲＬＣ  ＰＤＵがＭＡＣヘッダーと一緒に、そして必要な場合、スケジュールされた伝送ブロックのサイズを満たすためのパッディングも一緒に、物理的階層に送信される一つの伝送ブロックを形成する。
【００５６】
[67]  互いに異なる論理チャネルのマルチプレックシングに加え、ＭＡＣ階層は伝送チャネルを介して送信される伝送ブロックに、いわゆるＭＡＣ制御要素を挿入することができる。ＭＡＣ制御要素は、帯域内制御シグナリング、例えばタイミングアドバンス命令及びランダムアクセス応答のために使われる。制御要素はＬＣＩＤフィールドで予備値によって識別される。ここで、ＬＣＩＤ値は制御情報のタイプを示す。
【００５７】
[68]  また、サブヘッダーにおける長さフィールドは固定された長さの制御要素に対しては除去される。
【００５８】
[69]  また、ＭＡＣマルチプレックシング機能は、搬送波集成の場合、多数のコンポーネント搬送波を処理する。搬送波集成の基本原理は、ＲＬＣ及びＰＤＣＰに搬送波集成は見えないが、制御シグナリング、スケジューリング及びハイブリッドＡＲＱ再伝送を含んで物理的階層でのコンポーネント搬送波を独立的に処理することである。したがって、搬送波集成は主にＭＡＣ階層で見える。ここで、ＭＡＣ階層ではＭＡＣ制御要素を含む論理チャネルがマルチプレックスされて固有の自分のハイブリッドＡＲＱ個体を有するそれぞれのコンポーネント搬送波に対して一つの伝送ブロック（空間マルチプレックシングの場合、２個の伝送ブロック）を形成する。
【００５９】
[70]  図８Ａ及び図８ＢはＭＡＣ  ＰＤＵ構造を示す概念図である。
【００６０】
[71]  図８ＡはＭＡＣヘッダー、ＭＡＣ制御要素、ＭＡＣ  ＳＤＵ及びパッディングで構成されるＭＡＣ  ＰＤＵに対する図である。ＭＡＣ  ＰＤＵヘッダーは一つ以上のＭＡＣ  ＰＤＵサブヘッダーで構成され、それぞれのサブヘッダーはＭＡＣ  ＳＤＵ、ＭＡＣ制御要素又はパッディングに対応する。
【００６１】
[72]  ＭＡＣ  ＰＤＵ内の最後のサブヘッダーと固定サイズのＭＡＣ制御要素以外のＭＡＣ  ＰＤＵサブヘッダーは６個のヘッダーフィールドＲ／Ｒ／Ｅ／ＬＣＩＤ／Ｆ／Ｌで構成される。ＭＡＣ  ＰＤＵ内の最後のサブヘッダーと固定サイズのＭＡＣ制御要素のためのサブヘッダーは４個のヘッダーフィールドＲ／Ｒ／Ｅ／ＬＣＩＤのみで構成される。パッディングに対応するＭＡＣ  ＰＤＵサブヘッダーは４個のヘッダーフィールドＲ／Ｒ／Ｅ／ＬＣＩＤで構成される。
【００６２】
[73]  ＭＡＣ  ＰＤＵサブヘッダーは対応ＭＡＣ  ＳＤＵ、ＭＡＣ制御要素及びパッディングと同じ順序を有する。ＭＡＣ制御要素はいつもＭＡＣ  ＳＤＵの前に位置する。
【００６３】
[74]  パッディングは、１バイト又は２バイトパッディングが必要な場合を除けば、ＭＡＣ  ＰＤＵの末端で発生する。パッディングはいずれの値も有することができ、ＵＥはこの値を無視する。パッディングがＭＡＣ  ＰＤＵの末端で行われば、０又はそれ以上のパッディングバイトが許される。
【００６４】
[75]  １バイト又は２バイトパッディングが必要な場合には、パッディングに対応する１個又は２個のＭＡＣ  ＰＤＵサブヘッダーが他のＭＡＣ  ＰＤＵサブヘッダーの前のＭＡＣ  ＰＤＵの開始部分に位置する。それぞれのＵＥに対してＴＢ当たり最大で１個のＭＡＣ  ＰＤＵが送信できる。ＴＴＩ当たり最大で１個のＭＣＨ  ＭＡＣ  ＰＤＵが送信できる。
【００６５】
[76]  ＭＡＣヘッダーは多様なサイズを有し、次のようなフィールドで構成される。
【００６６】
[77]  １）ＬＣＩＤ：ＤＬ−ＳＣＨ、ＵＬ−ＳＣＨ、ＭＣＨに対する表１、２及び３に記述したように、論理チャネルＩＤフィールドは該当ＭＡＣ  ＳＤＵの論理チャネルインストンス又は該当ＭＡＣ制御要素又はパッディングのタイプを識別する。ＭＡＣ  ＰＤＵに含まれるそれぞれのＭＡＣ  ＳＤＵ、ＭＡＣ制御要素又はパッディングに対して一つのＬＣＩＤが存在する。これに加え、１バイト又は２バイトパッディングが必要であるが、ＭＡＣ  ＰＤＵの末端でのパッディングによってなされることができない場合には、ＭＡＣ  ＰＤＵに１個又は２個の追加的なＬＣＩＤフィールドが含まれる。カテゴリー０のＵＥはＬＣＩＤ“０１０１１”を用いてＣＣＣＨを示し、或いはＬＣＩＤ“０００００”を用いてＣＣＣＨを示す。ＬＣＩＤフィールドのサイズは５ビットである。
【００６７】
【表１】
2018519685.tif 000003
【００６８】
【表２】
2018519685.tif 000004
【００６９】
【表３】
2018519685.tif 000005
【００７０】
[84]  ２）Ｌ：長さフィールドは該当ＭＡＣ  ＳＤＵ又は可変サイズのＭＡＣ制御要素の長さをバイトで示す。最後のサブヘッダーと固定サイズのＭＡＣ制御要素に対応するサブヘッダーを除き、ＭＡＣ  ＰＤＵサブヘッダー当たり一つのＬフィールドが存在する。ＬフィールドのサイズはＦフィールドが示す。
【００７１】
[85]  ３）Ｆ：フォーマットフィールドは、表４に示したように、長さフィールドのサイズを示す。最後のサブヘッダーと固定サイズのＭＡＣ制御要素に対応するサブヘッダーを除き、ＭＡＣ  ＰＤＵサブヘッダー当たり一つのＦフィールドが存在する。Ｆフィールドのサイズは１ビットである。ＭＡＣ  ＳＤＵ又は可変サイズのＭＡＣ制御要素のサイズが１２８バイトより小さければ、Ｆフィールドの値は０に設定され、そうではなければ１に設定される。
【００７２】
【表４】
2018519685.tif 000006
【００７３】
[88]  ４）Ｅ：拡張フィールドはＭＡＣヘッダーにフィールドがもっと存在するかを示すフラグである。Ｅフィールドが“１”に設定されれば、少なくともＲ／Ｒ／Ｅ／ＬＣＩＤフィールドの他のセットを示す。Ｅフィールドが“０”に設定されれば、次のバイトでＭＡＣ  ＳＤＵ、ＭＡＣ制御要素又はパッディングが始まることを示す。
【００７４】
[89]  ５）Ｒ：予備ビットは“０”に設定される。
【００７５】
[90]  図９Ａは従来の搬送波集成システムにおける拡張されたＰＨＲ  ＭＡＣ制御要素に対する一例、図９Ｂは従来の搬送波集成システムにおける活性化／非活性化ＭＡＣ制御要素に対する一例である。
【００７６】
[91]  ＭＡＣ制御要素はＭＡＣ動作（ｂｅｈａｖｉｏｒ）についての制御情報を含む。バッファー状態報告ＭＡＣ制御要素、Ｃ−ＲＮＴＩ  ＭＡＣ制御要素、ＤＲＸ命令ＭＡＣ制御要素、ＵＥ競争解決ＩＤ  ＭＡＣ制御要素、タイミングアドバンス命令ＭＡＣ制御要素、パワーヘッドルーム報告ＭＡＣ制御要素、ＭＣＨスケジューリング情報ＭＡＣ制御要素、活性化／非活性化ＭＡＣ制御要素がある。
【００７７】
[92]  ｅｘｔｅｎｄｅｄＰＨにおいて、拡張されたパワーヘッドルーム報告（ＰＨＲ）ＭＡＣ制御要素は表２に明示したようなＬＣＩＤを有するＭＡＣ  ＰＤＵサブヘッダーによって識別される。これは可変サイズを有し、図９Ａに定義される。タイプ２のＰＨが報告されれば、タイプ２のＰＨフィールドを含むオクテット（ｏｃｔｅｔ）がそれぞれのＳＣｅｌｌに対するＰＨの存在を示すオクテット以後に最も先に含まれ、その後に関連のＰCMAX、cフィールド（報告される場合）を含むオクテットが従う。その後、ＰＣｅｌｌとビットマップに示したそれぞれのＳＣｅｌｌに対してタイプ１のＰＨフィールドを有するオクテットと、関連のＰCMAX、cフィールド（報告される場合）を有するオクテットがＳｅｒｖＣｅｌｌＩｎｄｅｘに基づく昇順に従う。
【００７８】
[93]  “Ｃｉフィールド”はＳＣｅｌｌＩｎｄｅｘ  ｉを有するＳＣｅｌｌに対するＰＨフィールドの存在を示す。Ｃｉフィールドが“１”に設定されれば、ＳＣｅｌｌＩｎｄｅｘ  ｉを有するＳＣｅｌｌに対するＰＨフィールドが報告されることを示す。Ｃｉフィールドが“０”に設定されれば、ＳＣｅｌｌＩｎｄｅｘ  ｉを有するＳＣｅｌｌに対するＰＨフィールドが報告されないことを示す。
【００７９】
[94]  “Ｒフィールド”は予備ビットで、 “０”に設定される。
【００８０】
[95]  “Ｖフィールド”はＰＨ値が実際伝送に基づいたものであるか或いは基準フォーマットに基づいたものであるかを示す。タイプ１のＰＨに対し、Ｖ＝０はＰＵＳＣＨ上の実際伝送を示し、Ｖ＝１はＰＵＳＣＨ基準フォーマットが使われたものを示す。また、タイプ１及びタイプ２のＰＨに対し、Ｖ＝０は関連のＰCMAX、cフィールドを含むオクテットの存在を示し、Ｖ＝１は関連のＰCMAX、cフィールドを含むオクテットが省略されたものを示す。
【００８１】
[96]  “パワーヘッドルーム（ＰＨ）フィールド”はパワーヘッドルームレベルを示す。このフィールドの長さは６ビットである。報告されるＰＨと該当パワーヘッドルームレベルを表５に示した。
【００８２】
【表５】
2018519685.tif 000007
【００８３】
[99]  “Ｐフィールド”はＭＡＣ個体がパワー管理（Ｐ−ＭＰＲｃによって許されるような）によるパワーバックオフを適用するか適用しないかを示す。ＭＡＣ個体は、パワー管理によるパワーバックオフが適用されなかった場合、該当ＰＣＭＡＸ、ｃフィールドが他の値を有すれば、Ｐ＝１に設定する。
【００８４】
[100]  ＰＣＭＡＸ、ｃフィールドは、先行のＰＨフィールドの計算のために使われるＰＣＭＡＸ、ｃ又は
【数１】
2018519685.tif 000008
が存在する場合、これを示す。報告されるＰＣＭＡＸ、ｃ及び対応する名目上のＵＥはパワーレベルを送信する。
【００８５】
[101]  一つのオクテットの活性化／非活性化ＭＡＣ制御要素は表１に明示したようなＬＣＩＤを有するＭＡＣ  ＰＤＵサブヘッダーによって識別される。これは固定サイズを有し、７個のＣ−フィールドと１個のＲ−フィールドを含む一つのオクテットで構成される。一つのオクテットを有する活性化／非活性化ＭＡＣ制御要素は図９Ｂのように定義される。
【００８６】
[102]  “Ｃｉフィールド”は、ＳＣｅｌｌＩｎｄｅｘ  ｉで構成されるＳＣｅｌｌがある場合、ＳＣｅｌｌＩｎｄｅｘ  ｉで構成されるＳＣｅｌｌの活性化／非活性化状態を示す。その外の場合、ＭＡＣ個体は、Ｃｉフィールドを無視する。Ｃｉフィールドが“１”に設定されれば、ＳＣｅｌｌＩｎｄｅｘ  ｉを有するＳＣｅｌｌが活性化することを示す。Ｃｉフィールドが“０”に設定されれば、ＳＣｅｌｌＩｎｄｅｘ  ｉを有するＳＣｅｌｌが非活性化することを示す。
【００８７】
[103]  Ｒｅｌ−１２までは、最大で５個のセルがＵＥに対して構成できる。Ｒｅｌ−１３ではＣＡ改善の範囲内で最大３２個の搬送波を構成することができる。現在、ＳＣｅｌｌの追加／修正／配布及び活性化／非活性化過程のためにＳＣｅｌｌとサービングセル（すなわち、ＰＣｅｌｌ又はＳＣｅｌｌ）を識別するのにＩＥ  ＳＣｅｌｌＩｎｄｅｘとＳｅｒｖＣｅｌｌＩｎｄｅｘが用いられる。また、ＵＥがクロス搬送波スケジューリングで構成されれば、ＳｅｒｖＣｅｌｌＩｎｄｅｘはＤＣＩフォーマットで３ビット搬送波指示子フィールド（ＣＩＦ）として使われる。このＩＥは現在の仕様で最大で７個のＳＣｅｌｌと最大で８個のサービングセルを示すことができる。
【００８８】
[104]  最大で３２個のＣＣに対するＣＡのためにサービングセルインデックシング値は不十分になる。この問題を解決するための最も簡単なオプションは、増加するＣＣ数（つまり、３２）によってＳＣｅｌｌＩｎｄｅｘとＳｅｒｖＣｅｌｌＩｎｄｅｘの範囲を確張することである。追加として、活性化／非活性化及び拡張されたＰＨＲ  ＭＡＣ  ＣＥを含む関連のＭＡＣ  ＣＥ上での修正が必要であり得る。これは簡単な方法であるが、ＭＡＣ  ＣＥでもっと多いビットを追加してセルインデックスを確張することはシグナリングオーバーヘッドを増加させる。また、ＳｅｒｖＣｅｌｌＩｎｄｅｘの範囲を確張することは、クロス搬送波スケジューリングの場合、ＤＣＩフォーマットで搬送波指示子フィールド（ＣＩＦ）のビット数を５ビットに増加させる結果をもたらす。したがって、この場合、ＭＡＣ  ＣＥのサイズを減少させるための最適化が要求される。
【００８９】
[105]  図１０は本発明の実施例による搬送波集成システムにおけるＭＡＣ制御要素の生成に対する概念図である。
【００９０】
[106]  本発明において、ＭＡＣ  ＣＥフォーマットはセルのセルインデックスのうち最大セルインデックス（つまり、ＳＣｅｌｌＩｎｄｅｘ又はＳｅｒｖＣｅｌｌＩｎｄｅｘ）に基づいて決定される。詳細には、ｅＮＢとＵＥはセルのセルインデックスのうち最大セルインデックスによってＭＡＣ  ＣＥのＣｉフィールドの長さを決定する。
【００９１】
[107]  通信装置（つまり、ＵＥ又は基地局）はｅＮＢによって少なくとも２個のセルで構成される。ここで、それぞれのセルは自分のセルインデックスによって識別される（Ｓ１００１）。
【００９２】
[108]  前記通信装置は多数のサービングセルのセルインデックスのうち最大セルインデックスに基づいてＭＡＣ  ＣＥがセルインデックスフィールドに対する４個のオクテットを含むかを判断し（Ｓ１００３）、その判断によってＭＡＣ  ＣＥを生成して送信する（Ｓ１００５）。
【００９３】
[109]  ＵＥ又はｅＮＢはｅＮＢ又はＵＥにＭＡＣ制御要素を送信することができる。例えば、ｅＮＢは活性化／非活性化ＭＡＣ制御要素をＵＥに送信することができ、ＵＥは拡張されたＰＨＲ  ＭＡＣ  ＣＥ、二重連結パワーヘッドルーム報告ＭＡＣ制御要素をｅＮＢに送信することができる。
【００９４】
[110]  最大セルインデックスが８より小さければ、ＭＡＣ  ＣＥはセルインデックスフィールドに対して一つのオクテットを含み、そうではなければＭＡＣ  ＣＥはセルインデックスフィールドに対して４個のオクテットを含む。
【００９５】
[111]  好ましくは、セルインデックスフィールドはＭＡＣ  ＣＥでＣｉフィールドである。
【００９６】
[112]  図１１Ａは本発明の実施例による、構成された上りリンクを有する３２個のサービングセルを支援する拡張されたＰＨＲ  ＭＡＣ制御要素の一例を示す。
【００９７】
[113]  ｅＮＢによってそれぞれが自分のＳＣｅｌｌＩｎｄｅｘによって識別される少なくとも２個のセルでＵＥを構成すれば（搬送波集成システム）、ＵＥは構成された上りリンクを有するサービングセルのＳＣｅｌｌＩｎｄｅｘのうち最大のＳＣｅｌｌＩｎｄｅｘをチェックするかあるいは活性化したセルのＳＣｅｌｌＩｎｄｅｘのうち最大のＳＣｅｌｌＩｎｄｅｘをチェックする。
【００９８】
[114]  構成された上りリンクを有するＳＣｅｌｌの最大ＳＣｅｌｌＩｎｄｅｘが８より小さければ、それぞれのＳＣｅｌｌに対するＰＨの存在を示すためにＣフィールドを有する一つのオクテットが使われ（図９Ａ）、そうではなければ４個のオクテットが使われる（図１１Ａ）。
【００９９】
[115]  ＣｉフィールドはＳＣｅｌｌＩｎｄｅｘ  ｉを有するＳＣｅｌｌに対するＰＨフィールドの存在を示す。Ｃｉフィールドが“１”に設定されれば、ＳＣｅｌｌＩｎｄｅｘ  ｉを有するＳＣｅｌｌに対するＰＨフィールドが報告されることを示す。Ｃｉフィールドが“０”に設定されれば、ＳＣｅｌｌＩｎｄｅｘ  ｉを有するＳＣｅｌｌに対するＰＨフィールドが報告されないことを示す。
【０１００】
[116]  図１１Ｂは本発明の実施例による４個のオクテットの活性化／非活性化ＭＡＣ制御要素の一例を示す。
【０１０１】
[117]  ＵＥに対してｅＮＢがそれぞれ自分のＳＣｅｌｌＩｎｄｅｘによって識別される少なくとも２個のセルで構成されれば（搬送波集成システム）、ｅＮＢは構成されたセルのＳＣｅｌｌＩｎｄｅｘのうち最大のＳＣｅｌｌＩｎｄｅｘをチェックするかあるいは活性化したセルのＳＣｅｌｌＩｎｄｅｘのうち最大ＳＣｅｌｌＩｎｄｅｘをチェックする。
【０１０２】
[118]  ７より大きなＳｅｒｖＣｅｌｌＩｎｄｅｘを有するサービングセルがない場合、一つのオクテットの活性化／非活性化ＭＡＣ制御要素が適用され（図９Ｂ）、そうではない場合、４個のオクテットの活性化／非活性化ＭＡＣ制御要素が適用される（図１１Ｂ）。
【０１０３】
[119]  Ｃｉフィールドは、ＳＣｅｌｌＩｎｄｅｘ  ｉで構成されたＳＣｅｌｌがある場合、ＳＣｅｌｌＩｎｄｅｘ  ｉを有するＳＣｅｌｌの活性化／非活性化状態を示す。その以外の場合、ＭＡＣ個体はＣｉフィールドを無視する。Ｃｉフィールドが“１”に設定されれば、ＳＣｅｌｌＩｎｄｅｘ  ｉを有するＳＣｅｌｌの活性化を示す。Ｃｉフィールドが“０”に設定されれば、ＳＣｅｌｌＩｎｄｅｘ  ｉを有するＳＣｅｌｌの非活性化を示す。
【０１０４】
[120]  また、４個のオクテットの活性化／非活性化ＭＡＣ制御要素は新しいＬＣＩＤを有するＭＡＣ  ＰＤＵサブヘッダーによって識別される。送信機は可変サイズのＣｉフィールドが新しいＭＡＣ制御要素に含まれることを示す新しいＬＣＩＤを含むＭＡＣ  ＰＤＵを送信する。受信機が前記新しいＬＣＩＤを含むＭＡＣ  ＰＤＵを受信すれば、受信機はセルのセルインデックスのうち最大セルインデックスに基づいて受信されたＭＡＣ制御要素のＣｉフィールドのサイズを決定する。
【０１０５】
[121]  図１２は本発明の実施例による搬送波集成システムにおけるＭＡＣ制御要素の生成に対する概念図である。
【０１０６】
[122]  通信装置は多数のサービングセルを構成し、それぞれのサービングセルはそれぞれのセルインデックスに対応する（Ｓ１２０１）。通信装置は、前記多数のサービングセルのセルインデックスのうち最大セルインデックスに基づいてＭＡＣ  ＣＥ内のセルインデックスフィールドのサイズを決定し（Ｓ１２０３）、セルインデックスフィールドのサイズによってＭＡＣ  ＣＥを生成する（Ｓ１２０５）。
【０１０７】
[123]  例えば、送信機がＭＡＣ  ＣＥ内のセルインデックスフィールドのサイズを決定すれば、送信機は構成されたセルのセルインデックスのうち最大セルインデックスをチェックするかあるいは活性化したセルのセルインデックスのうち最大セルインデックスをチェックする。
【０１０８】
[124]  最大セルインデックスが７以下であれば（すなわち、０≦最大セルインデックス≦７）、送信機がＣｉフィールドのサイズを１バイトと決定することにより、Ｃｉフィールドを有する１個のオクテットがＭＡＣ制御要素に属することになる。
【０１０９】
[125]  最大セルインデックスが７より大きくて１５以下であれば（すなわち、８≦最大セルインデックス≦１５）、送信機がＣｉフィールドのサイズを２バイトと決定することにより、Ｃｉフィールドを有する２個のオクテットがＭＡＣ制御要素に属することになる。
【０１１０】
[126]  最大セルインデックスが１５より大きくて２３以下であれば（すなわち、１６≦最大セルインデックス≦２３）、送信機がＣｉフィールドのサイズを３バイトと決定することにより、Ｃｉフィールドを有する３個のオクテットがＭＡＣ制御要素に属することになる。
【０１１１】
[127]  最大セルインデックスが２３より大きくて３１以下であれば（すなわち、２４≦最大セルインデックス≦３１）、送信機がＣｉフィールドのサイズを４バイトと決定することにより、Ｃｉフィールドを有する４個のオクテットがＭＡＣ制御要素に属することになる。
【０１１２】
[128]  若しくは、受信機がＣｉフィールドを含むＭＡＣ制御要素を受信すれば、受信機は構成されたセルのセルインデックスのうち最大セルインデックスをチェックするか或いは活性化したセルのセルインデックスのうち最大セルインデックスをチェックする。
【０１１３】
[129]  前記最大セルインデックスが７以下であれば（すなわち、０≦最大セルインデックス≦７）、受信機はＣｉフィールドの１オクテットが受信されたＭＡＣ制御要素に含まれると見なす。
【０１１４】
[130]  前記最大セルインデックスが７より大きくて１５以下であれば（すなわち、８≦最大セルインデックス≦１５）、受信機はＣｉフィールドの２オクテットが受信されたＭＡＣ制御要素に含まれると見なす。
【０１１５】
[131]  前記最大セルインデックスが１５より大きくて２３以下であれば（すなわち、１６≦最大セルインデックス≦２３）、受信機はＣｉフィールドの３オクテットが受信されたＭＡＣ制御要素に含まれると見なす。
【０１１６】
[132]  前記最大セルインデックスが２３より大きくて３１以下であれば（すなわち、２４≦最大セルインデックス≦３１）、受信機はＣｉフィールドの４オクテットが受信されたＭＡＣ制御要素に含まれると見なす。
【０１１７】
[133]  以上で説明した実施例は本発明の構成要素及び特徴が所定の形態に結合されたものである。それぞれの構成要素又は特徴は他の明示的言及がない限り選択的なものとして考慮されなければならない。それぞれの構成要素又は特徴は他の構成要素又は特徴と結合されない形態に実施可能である。また、一部の構成要素及び／又は特徴を結合して本発明の実施例を構成することも可能である。本発明の実施例で説明する動作の順序は変更可能である。ある実施例の一部の構成又は特徴は他の実施例に含まれることができ、あるいは他の実施例の対応する構成又は特徴に入れ替えられることができる。特許請求範囲で明示的な引用関係がない請求項を結合して実施例を構成するかあるいは出願後の補正によって新たな請求項として含ませることができるのは明らかである。
【０１１８】
[134]  本発明の実施例において、基地局（ＢＳ）によって行われるものとして説明された特定の動作は上位ノードのＢＳによって遂行されることもできる。すなわち、ＢＳを含む複数のネットワークノードで、ＭＳとの通信のために行われる多様な動作が基地局によって遂行されるか基地局以外の他のネットワークノードによって遂行されることができるのは明らかである。‘ｅＮＢ’という用語は‘固定局（ｆｉｘｅｄ  ｓｔａｔｉｏｎ）’、‘ＮｏｄｅＢ、‘基地局（ＢＳ）’、アクセスポイントなどに取り替えられることもできる。
【０１１９】
[135]  前述した実施例は、例えばハードウェア、ファームウエア、ソフトウェア又はそれらの組合せなどの多様な手段によって具現されることもできる。
【０１２０】
[136]  ハードウェア設定において、本発明の実施例による方法は、一つ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラー、マイクロコントローラー、マイクロプロセッサなどによって具現可能である。
【０１２１】
[137]  ファームウエア又はソフトウェアによる具現の場合、本発明の実施例による方法は、以上で説明した機能又は動作を行うモジュール、手順又は関数などの形態に具現されることができる。ソフトウェアコードはメモリユニットに記憶され、プロセッサによって駆動されることができる。前記メモリユニットは前記プロセッサの内部又は外部に位置し、既に知られた多様な手段によって前記プロセッサとデータを取り交わすことができる。
【０１２２】
[138]  本発明は本発明の特徴を逸脱しない範疇内で他の特定の形態に具体化されることができるのは当業者に明らかである。したがって、前記詳細な説明は全ての面で制限的に解釈されてはいけなく、例示的なものとして考慮しなければならない。本発明の範囲は添付の請求範囲の合理的解釈によって決まらなければならなく、本発明の等価的範囲内の全ての変更は本発明の範囲に含まれる。
【産業上の利用可能性】
【０１２３】
[139]  上述した方法は３ＧＰＰ  ＬＴＥシステムに適用される例示を中心に説明したが、本発明は３ＧＰＰ  ＬＴＥシステムだけではなく多様な無線通信システムに適用可能である。
【図１】
2018519685.tif 000009
【図２Ａ】
2018519685.tif 000010
【図２Ｂ】
2018519685.tif 000011
【図３】
2018519685.tif 000012
【図４】
2018519685.tif 000013
【図５】
2018519685.tif 000014
【図６】
2018519685.tif 000015
【図７】
2018519685.tif 000016
【図８Ａ】
2018519685.tif 000017
【図８Ｂ】
2018519685.tif 000018
【図８Ｃ】
2018519685.tif 000019
【図９Ａ】
2018519685.tif 000020
【図９Ｂ】
2018519685.tif 000021
【図１０】
2018519685.tif 000022
【図１１Ａ】
2018519685.tif 000023
【図１１Ｂ】
2018519685.tif 000024
【図１２】
2018519685.tif 000025
【国際調査報告】
2018519685.tif 000026
2018519685.tif 000027
2018519685.tif 000028